(57)【要約】【課題】無線通信端末に登録されたデータについてユーザ独自の表示パターンを構築すること。【解決手段】表示パターン処理部３ｃは、記憶部５に登録されている登録されている画像やｔｅｘｔ等のデータをデータ毎に表示するパターンを設定し、表示するデータの種類により表示パターン設定内容を切り換えて、表示部４は、画像やｔｅｘｔ等のデータを設定されたパターンに従って複数連続表示する。【選択図】図１
2007172070.tif 000002
【特許請求の範囲】
【請求項１】
登録されている画像やｔｅｘｔ等のデータをデータ毎に表示するパターンを設定する手段と、
表示するデータの種類により表示パターン設定内容を切り換える手段と
登録されている画像やｔｅｘｔ等のデータを複数連続表示する手段と、
を備え、
複数のデータを設定パターンに応じて連続表示することを特徴とする無線通信端末。
【請求項２】
前記切り換える手段は、設定されたデ−タの種類により、更新周期、送り、表示時間、繰り返し有無、区切り設定の少なくとも１つを含む表示パターンのパラメータを切り換えることを特徴とする請求項１記載の無線通信端末。
【請求項３】
前記設定する手段は、指定したデータ毎に表示パターンを設定することを特徴とする請求項１または２記載の無線通信端末。
【請求項４】
登録されている画像やｔｅｘｔ等のデータをデータ毎に表示するパターンを設定するステップと、
表示するデータの種類により表示パターン設定内容を切り換えるステップと
登録されている画像やｔｅｘｔ等のデータを複数連続表示するステップと、
を有し、
複数のデータを設定パターンに応じて連続表示することを特徴とするデータ表示方法。
【請求項５】
前記切り換えるステップにおいて、設定されたデ−タの種類により、更新周期、送り、表示時間、繰り返し有無、区切り設定の少なくとも１つを含む表示パターンのパラメータを切り換えることを特徴とする請求項４記載のデータ表示方法。
【請求項６】
前記設定するステップにおいて、指定したデータ毎に表示パターンを設定することを特徴とする請求項４または５記載のデータ表示方法。
【請求項７】
コンピュータに、登録されている画像やｔｅｘｔ等のデータをデータ毎に表示するパターンを設定する機能と、
表示するデータの種類により表示パターン設定内容を切り換える機能と
登録されている画像やｔｅｘｔ等のデータを複数連続表示する機能と、
を実現させることを特徴とするプログラム。
【発明の詳細な説明】
【技術分野】
【０００１】
本発明は、無線通信端末においてユーザ独自の表示パターンを実現する技術に関する。
【背景技術】
【０００２】
従来、携帯電話機、ＰＨＳ（Personal Handyphone System）、ＰＤＡ（Personal Data Assistance，Personal Digital Assistants：個人向け携帯型情報通信機器）等の携帯端末で、データを表示する液晶ディスプレイ等の表示部があるが、ユーザの好きな言葉や学習中の言葉や好きな画像をいろいろな組み合わせで、かつ表示方法やスクロール方法を任意に設定できず、ユーザ独自の表示をすることは困難であった。
【０００３】
ここで、自己の呼出番号宛のメッセージ情報を受信して記憶する記憶部と、メッセージ表示指示信号を受けて記憶部に記憶されてるメッセージ情報を表示する表示部とを有し、表示制御部は、複数のメッセージ情報を一定時間の間隔にて自動的に表示部にスクロール表示させ、タイマ管理部は、スクロール表示をする一定時間を計測して計測値を表示制御部に与え、表示制御部は、メッセージ情報を自動的にスクロール表示する際にメッセージ情報毎にスクロールのスピードを指定することで、操作性を向上させ、かつ、メッセージ表示のアピール力を向上させる技術が提案されている（例えば、特許文献１参照）。
【特許文献１】特開２０００−０５９８３５号公報
【発明の開示】
【発明が解決しようとする課題】
【０００４】
しかしながら、上述した従来例においては次のような問題点があった。
【０００５】
表示画面を越えるデータをスクロール表示する際、特定のキーを押下している間だけ、該当のデータ内でスクロール速度や移動量を変えて表示することはできたが、同一ファイルを繰り返し表示したり、複数のファイルを組み合わせて連続して表示するようなことはできなかった。また、例えば英語を学習するユーザが記憶したい単語を見たい時に容易に表示させたり、繰り返し表示したりできず、あるいはいろいろなデータを多くの設定による組み合わせによって、ユーザ独自の表示を実現することができなかった。
【０００６】
本発明は、以上説明した事情に鑑みてなされたものであり、その目的は、無線通信端末に登録されたデータについてユーザ独自の表示パターンを構築することにある。
【課題を解決するための手段】
【０００７】
上記課題を解決するために、本発明は、登録されている画像やｔｅｘｔ等のデータをデータ毎に表示するパターンを設定する手段と、
表示するデータの種類により表示パターン設定内容を切り換える手段と
登録されている画像やｔｅｘｔ等のデータを複数連続表示する手段と、
を備え、
複数のデータを設定パターンに応じて連続表示する無線通信端末を提供する。
【０００８】
また、本発明は、登録されている画像やｔｅｘｔ等のデータをデータ毎に表示するパターンを設定するステップと、
表示するデータの種類により表示パターン設定内容を切り換えるステップと
登録されている画像やｔｅｘｔ等のデータを複数連続表示するステップと、
を有し、
複数のデータを設定パターンに応じて連続表示するデータ表示方法を提供する。
【０００９】
また、本発明は、コンピュータに、登録されている画像やｔｅｘｔ等のデータをデータ毎に表示するパターンを設定する機能と、
表示するデータの種類により表示パターン設定内容を切り換える機能と
登録されている画像やｔｅｘｔ等のデータを複数連続表示する機能と、
を実現させるプログラムを提供する。
【発明の効果】
【００１０】
本発明によれば、無線通信端末に登録されたデータについてユーザ独自の表示パターンを構築することができる。
【発明を実施するための最良の形態】
【００１１】
以下、本発明の第１の実施の形態について図面を参照して詳細に説明する。図１は、本実施の形態における無線通信端末の一例である携帯端末の機能ブロック図である。
【００１２】
キー入力部１は、携帯端末に有する各種のキーからのキー入力を受け付ける。通話部２は、音声データを入出力するマイクやスピーカを有する。制御部３は制御を司り、キーコード認識部３ａはキー入力部より入力されたキーを判別し、画面制御部３ｂは画面を制御し、表示パターン処理部３ｃは表示パターンを処理し、音声処理部３ｄは音声を処理し、表示部４は予め登録された操作手順に基づき、各機能画面を表示し、表示パターン処理部３ｃより登録されたデータをスクロール表示する。記憶部５は表示するデータ等の各種データを記憶する。
【００１３】
図２は、本実施の形態における表示パターンを設定する操作画面の一例を示す図であり、表示メニュー画面１０において、"スクロール"のチェックボックスにカーソルを移し、ソフトキー１キー（ＳＫ１）"Ｓｅｌｅｃｔ"を押下することにより、携帯端末を折り畳んだ際に背面ＬＣＤに指定したデータをスクロール表示する機能を有効にし、連続表示する複数のデータを設定する表示パターン設定画面１１に遷移する。
【００１４】
表示パターン設定画面１１は、例えば、携帯端末に登録されている名称"ロゴ１"のファイルを選択し、画面上部にファイル名"ロゴ１"を表示した状態を示す。
【００１５】
表示パターン設定画面１１より、ＭＥＮＵキーを選択することにより、指定されたデータを背面ＬＣＤに表示する詳細設定するための表示パターン詳細設定画面１２に遷移する。
【００１６】
画面の"（１）ロゴ１"は、表示パターン設定画面１１で設定したファイル名を先頭に表示し、その下に詳細設定項目として、"更新周期"、"送り"、"表示時間"、"繰り返し"そして"区切り設定"を有する。この設定項目は一例であり、設定したデータの種類によって変わるものである。
【００１７】
"更新周期"は、背面ＬＣＤに表示するエリアに表示するデータを書き込む周期を設定するもので、例えば最小１０ｍｓｅｃで、１０ｍｓｅｃ単位に設定できるものである。
【００１８】
"送り"は、更新周期毎に書き込むドット数を設定するものである。
【００１９】
"表示時間"は、特に画像データのように全て表示した状態で表示を続けたい場合や、スクロール文字を一定時間表示する場合に設定するものである。
【００２０】
"繰り返し"は、設定されたデータを表示タイムアウトになるまで繰り返し表示有無を設定するもので、設定ファイルが全て繰り返し有効設定されていれば、全てのデータを順番に繰り返し表示する。もし、設定された二つのファイル設定で先頭ファイルが繰り返し無効で、２つ目のファイルが繰り返し有効設定されていた場合、先頭のファイルを１度表示し、後は２つ目のファイルを繰り返し表示するものである。
【００２１】
"区切り設定"は、複数のファイルの繋ぎを示すための設定である。表示パターン設定画面１１で"ロゴ１"の次に表示するデータ、例えば、学習中の英文や英単語等が入ったデータ"ＴＯＥＩＣ−１"を選択した状態を示した画面が表示パターン設定画面１３である。
【００２２】
表示パターン設定画面１３は、先ず"ロゴ１"画像データを、次に"ＴＯＥＩＣ−１"のｔｅｘｔデータを順番に背面ＬＣＤに各詳細設定に従い表示することを示す。表示パターン設定画面１３にて、ＭＥＮＵキーを選択することにより、画面先頭に"（２）ＴＯＥＩＣ−１"を表示した表示パターン詳細設定画面１４に遷移する。この画面では、"ロゴ１"の画像データが表示終了した後に表示する"ＴＯＥＩＣ−１"の表示パターンについて設定するものである。
【００２３】
図３は、図２の表示パターン詳細設定画面１２、１４で設定されたデータに基づき背面ＬＣＤへ表示する画面の遷移の一例を示したもので、先ず"ロゴ１"のデータを読み込み、表示パターン詳細設定画面１２で設定された内容に従い、背面ＬＣＤに"ロゴ１"の画像データを２秒間表示する画面が背面ＬＣＤ画面１５である。
【００２４】
２秒表示後、区切り設定が"全スペース"により背面ＬＣＤを全てスペースで表示する。その画面が、背面ＬＣＤ画面１６である。
【００２５】
次に"ＴＯＥＩＣ−１"のデータを読み込み、表示パターン詳細設定画面１４に従い、データを背面ＬＣＤに表示を開始する。その画面が背面ＬＣＤ画面１７である。
【００２６】
表示パターン詳細設定画面１４により、１０ｍｓｅｃの周期で送りを１ドット毎に更新をして１単語”ｂｅａｕｔｉｆｕｌ"を表示し、次の単語"ｂｅａｕｔｉｆｕｌｌｙ"との間に区切り設定で"２スペース"を入れて表示を開始した画面が背面ＬＣＤ画面１８である。
【００２７】
引き続き１０ｍｓｅｃの周期、送り１ドット毎に更新をして表示文字を左へスクロ−ルし、"ｂｅａｕｔｉｆｕｌｌｙ"の文字が全て表示した画面が背面ＬＣＤ画面１９である。
【００２８】
同様にして"ＴＯＥＩＣ−１"のデータを全て表示し、最後の文字"ｃｏｎｆｉｒｍ"を表示した画面が背面ＬＣＤ画面２０である。最後に区切り設定の"２スペース"を入れて表示し、次に表示した全データである"ロゴ１"と"ＴＯＥＩＣ−１"の繰り返し設定をチェックし、"ロゴ１"は繰り返し無効、"ＴＯＥＩＣ−１"の繰り返し有効より、背面ＬＣＤ画面１７に戻り、"ＴＯＥＩＣ−１"データを繰り返し表示することを示したものである。
【００２９】
図４は、表示するデータの種類により表示パターンの設定項目が変わることを示した一例で、選択したデータが音声やメロディデータを選択する場合の表示パターン詳細設定画面２１である。
【００３０】
音声やメロディデータを再生する場合、表示ではなくスピーカより出力するもので、"繰り返し"設定とデータの区切りを示すために特定音を鳴らす設定を有する。設定する場合、携帯端末が音声データやメロディデータ一覧を表示する画面にて特定キー（例えば、ＭＥＮＵキー）を押下することにより、表示パターン設定画面に遷移して設定することができる。
【００３１】
表示パターン詳細設定画面２２は、電子メールを表示するためのもので、電子メールデータ一覧を表示している画面で、特定キー（例えば、ＭＥＮＵキー）を押下することにより、表示パターン設定画面に遷移して表示したい電子メールあるいは最新の未読電子メールを設定することができる。同様に、携帯端末が有するデータ一覧を表示する画面にて、特定キー（例えば、ＭＥＮＵキー）を押下することにより、表示パターン設定画面に遷移して選択したデータに合った表示パターンを設定することができる。
【００３２】
図５は、図１、図２、図３および図４に示す機能を有する携帯端末７０の外観図である。メインＬＣＤ画面７１は、キーボード７２からキー入力することにより、該当の機能画面を表示する。マイク７３、スピーカ７４、サイド▲キー７５およびサイド▼キー７６を備えている。背面ＬＣＤ７７は、折り畳携帯端末を閉じた際に設定したデータ等を表示する。
【００３３】
次に、本実施の形態における処理動作のフローを図面を参照して詳細に説明する。図６は、表示パターン設定により背面ＬＣＤに設定されたデータを表示するフローを示す。
【００３４】
まず、各画面処理(ステップＳ１)において、折り畳携帯端末が閉じられたかをチェック（ステップＳ２）する。
【００３５】
もし、閉じられたら背面ＬＣＤにスクロール表示する設定かをチェック(ステップＳ３)し、スクロール表示でなければ、時計等端末の状態を表示するステータス表示(ステップＳ４)に遷移し、スクロール表示選択されていればスクロール表示処理（ステップＳ５）に遷移する。
【００３６】
図７は、スクロール表示処理（ステップＳ５）を示す。
【００３７】
まず、表示パターン設定画面１３で設定した内容を確認する。表示パターン設定画面１３で、表示するデ−タが設定されているかチェック（ステップＳ１１）し、設定されていない場合はスクロール表示せずにステータス表示(ステップＳ４)する。
【００３８】
もし、表示パターン設定画面１３で設定されたデータがある場合、設定されたｔｅｘｔデータや画像データ、あるいはメールデータ等携帯端末に登録されたデータを読み込み（ステップＳ１２）、データの種類に応じて設定項目が変わる表示パターン詳細設定画面を呼び出す（ステップＳ１３）。例えば、メールの内容を表示する表示パターンには、設定項目に最新のメールのみ表示するかを設定するものや、音声やメロディデータであれば、"更新周期"や"送り"や"表示時間"は不要であるので削除され、"区切り設定"は、"トーン１"、"トーン２"、"トーン３"のチャイム等音を選択する。
【００３９】
次に、表示パターン設定画面１１や１３で設定したデータに対して詳細設定した表示パターン詳細設定画面１２や１４のデータを読み込む（ステップＳ１４）。
【００４０】
読み込んだファイルのデータを設定されたドット単位に設定された更新周期毎に背面ＬＣＤの表示するエリアに書き込みをする（ステップＳ１５）。
【００４１】
スクロール中にスクロール速度を変更するサイドキーが押下されたかチェック（ステップＳ１６）し、押下された場合（ステップＳ１７）で、サイド▲キーであれば最小の更新周期まで現在の更新周期より、例えば、１０ｍｓｅｃ短いデータに設定変更し、サイド▼キーであれば最大の更新周期になるまで現在の更新周期より、例えば、１０ｍｓｅｃ長いデータに設定を変更するスクロール速度変更処理（ステップＳ１８）を実行する。以降更新された更新周期でスクロール表示する。
【００４２】
ステップＳ１７でサイドキーが長押しされた場合、スクロール更新を一時停止（ステップＳ１７）することができる。
【００４３】
再度、いずれかのサイドキーが押下される（ステップＳ１８）と、スクロールを再開（ステップＳ１９）する。
【００４４】
次に、スクロール表示中に節電用のｐｏｗｅｒ  ｓａｖｉｎｇ機能で表示を消す表示タイムアウト設定有無をチェック（ステップＳ２０）し、表示タイムアウト設定が設定され、設定され時間経過した場合、背面ＬＣＤの表示を消す表示ｏｆｆ処理（ステップＳ２１）へ遷移する。
【００４５】
一方、表示タイムアウトでない場合、スクロールデータ最終でないかチェック（ステップＳ２２）し、最終でなければ次のデータを背面ＬＣＤの表示エリアに書き込む。
【００４６】
もし、読み込んだデータの最終までスクロールした場合、表示時間設定がされているかチェック（ステップＳ２３）し、設定されていれば設定された時間、スクロールせずに同じデータを表示し続けることができる。
【００４７】
もし、設定がなければ、表示パターン詳細設定画面１２または１４の"区切り設定"で設定されたデータを最後に付加し（ステップＳ２５）、ファイルデータが最終であることを示す。例えば、表示パターン詳細設定画面１４で"区切り設定"を全スクロールにした場合、設定されたデータの最後の文字が背面ＬＣＤより表示が消えるまでスペースを入れて表示する機能である。また、２スペースは、次のファイルの文字との間にスペースを二つ入れて２種類のデータを区分けして継続表示するものであり、"／"は、スペースの変わりに"／"にてファイルが切り換わったことを示すものである。
【００４８】
次に、設定ファイルがあるかチェック（ステップＳ２６）し、もし、あれば指定ファイルを読み込み同じ処理を実行し、なければスクロールしたデータを繰り返し表示するかチェック（ステップＳ２７）し、繰り返し設定されていれば繰り返し表示する。
【００４９】
繰り返し設定がされていなければ、表示終了として表示ｏｆｆ処理（ステップＳ２１）を実行する。
【００５０】
次に、本発明の第２の実施の形態について説明する。
【００５１】
上記の第１の実施の形態とは、メインＬＣＤの各画面において、画面の任意の位置に表示パターン設定に依って必要な情報をスクロール表示する点が相違する。
【００５２】
例えば、表示メニュー画面１０においてカーソルが表示する"スクロール"の機能説明文を設定された表示パターンに従い、機能説明文を表示することにより、マニュアルを読むことなく機能をユーザは知ることができる。スクロール中に、サイドキーだけでなく、図５で示すキーボード７２の上下左右キーを使用してスクロール速度を切り換えることも可能である。
【００５３】
機能を把握し、表示不要にしたい場合は、スクロール表示している画面にてＭＥＮＵキーを選択することにより、表示パターン設定画面１１に遷移し、機能説明文の削除することにより非表示にしたり、別のデータを選択し直してスクロール表示することができるので、背面ＬＣＤだけでなく待ち受け画面等各画面で表示することが可能となり、背面ＬＣＤを持たない一体型の携帯端末でも表示パターンを設定して使用できる。
【００５４】
また、例えば、ＬＣＤに階調表示機能があれば表示終了方法に階調表示を適用して徐々に表示を消すパラメータを表示パターンの設定項目に追加することにより表示バリエーションをさらに増やすことが容易に可能となる。
【００５５】
なお、上述する各実施の形態は、本発明の好適な実施の形態であり、本発明の要旨を逸脱しない範囲内において種々変更実施が可能である。例えば、上記の各実施の形態における携帯端末の機能を実現するためのプログラムを本携帯端末に読込ませて実行することにより本携帯端末の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。
【００５６】
上述する各実施の形態は、携帯端末の各機能が１つのコンピュータシステムとして実現されている構成について説明したが、機能毎に複数の装置などが追加された構成にも適用可能であることはもちろんである。
【００５７】
本発明は、携帯電話機、ＰＨＳ（Personal Handyphone System）、ＰＤＡ（Personal Data Assistance，Personal Digital Assistants：個人向け携帯型情報通信機器）等の携帯端末であって、複数のファイルデータを指定した順番にユーザの好みにあった表示パターンをユーザが任意に設定可能な装置に適用可能である。
【図面の簡単な説明】
【００５８】
【図１】本発明の第１の実施形態における携帯端末の機能ブロック図である。
【図２】本発明の第１の実施形態における表示パターンを設定する操作画面の一例を示す図である。
【図３】本発明の第１の実施形態における表示パターン詳細設定画面で設定されたデータに基づき背面ＬＣＤへ表示する画面の遷移の一例を示す図である。
【図４】本発明の第１の実施形態における表示するデータの種類により表示パターンの設定項目が変わることを示した図である。
【図５】本発明の第１の実施形態における携帯端末の外観図である。
【図６】表示パターン設定により背面ＬＣＤに設定されたデータを表示する処理動作を示すフローチャートである。
【図７】スクロール表示の処理動作を示すフローチャートである。
【符号の説明】
【００５９】
１    キー入力部
２    通話部
３    制御部
３ａ    キーコード認識部
３ｂ    画面制御部
３ｃ    表示パターン処理部
３ｄ    音声処理部
４    表示部
５    記憶部
【図１】
2007172070.tif 000003
【図２】
2007172070.tif 000004
【図３】
2007172070.tif 000005
【図４】
2007172070.tif 000006
【図５】
2007172070.tif 000007
【図６】
2007172070.tif 000008
【図７】
2007172070.tif 000009